(57)【要約】      （修正有）【課題】カバー体の開閉を行うヒンジの構成部材を最小限にし、少なくとも専用コイルスプリングの使用を中止しても、印字品質の向上とカバー体のオープンを半自動で行うことを可能とする印刷装置を提供することを目的とする。【解決手段】サーマルヘッド３１をプラテンローラ２６の周面に所定荷重で押圧させる複数の押圧バネを備え、プラテンローラ２６が上カバー５に回転可能に取り付けられており、係止爪２８が上カバー５に取り付けられたプラテンローラ２６のローラ軸２６Ａを係止することによって、上カバー５をロールシートホルダ収納ケースに対して固定する構成にし、係止爪２８に備えられた解除摘み２７によって係止爪２８がローラ軸２６Ａを開放したとき、押圧バネの押圧力が、サーマルヘッド３１及びプラテンローラ２６を介して、上カバー５をロールシートホルダ収納ケースから浮かす構成にした。【選択図】図１８
2008094009.tif 000002
【特許請求の範囲】
【請求項１】
装置の筐体を構成する第１カバー体と、
前記第1カバー体に対してヒンジによって開閉可能に配設される第２カバー体と、
前記第２カバー体が前記第１カバー体に対して閉じられたとき、第２カバー体を第１カバー体に対して固定する固定手段と、
前記第２カバー体に回転可能に取り付けられるプラテンローラと、
前記プラテンローラと対向する位置に配設されるサーマルヘッドと、
前記サーマルヘッドを保持するヘッド支持部材と、
前記固定手段によって前記第２カバー体が第１カバー体に固定されたとき、前記ヘッド支持部材の長手方向に配設されて前記サーマルヘッドを前記プラテンローラの周面に所定荷重で押圧させる複数の弾性部材と、
を備え、
前記固定手段による前記第２カバー体の前記第１カバー体への固定が解除されたとき、前記プラテンローラが前記サーマルヘッドを介して前記所定荷重を有する複数の弾性部材によって押圧されることにより、第２カバー体が第１カバー体から浮くようにしたことを特徴とする印刷装置。
【請求項２】
前記プラテンローラは、前記第２カバー体の前記ヒンジが構成される端部と反対側の端部に配設されることを特徴とする請求項１に記載の印刷装置。
【請求項３】
前記固定手段は、回動中心を有しその回動中心から２つの延出部を備え、一端は弾性部材に係止され、他端に前記プラテンローラに備えられた回転軸を着脱自在に係止する鉤形状を有していることを特徴とする請求項１又は請求項２に記載の印刷装置。
【発明の詳細な説明】
【技術分野】
【０００１】
本発明は、印刷装置に関し、特に印刷装置に設けられたカバー体の開閉に関するものである。
【背景技術】
【０００２】
従来より、本体筐体にカバー体を備える印刷装置においては、上方に開閉可能なカバー体が取り付けられており、そのカバー体のヒンジ機構にコイルバネの反動力を利用して、カバー体の開閉を補助する様々な技術が提示されている。
例えば、特許文献１には、コイルバネがプラスチック製ヒンジブロックのＲ部と摺動し、ヒンジブロックに設けたＶ溝にコイルバネが入り込む構造のため、コイルバネの表面摩耗による傷の発生を防止し、更に、Ｖ溝による楔効果により、コイルバネの反動を押さえることで、ヒンジの寿命を向上させる技術が開示されている。
【特許文献１】特開２００６−０５２７７８号公報（段落０００８、図１乃至図３）
【発明の開示】
【発明が解決しようとする課題】
【０００３】
しかしながら、上述した特許文献１に記載される構成においては、ヒンジの寿命を向上させる技術としては有効な技術であるが、この構成を実現するために専用部品が多くなると言う問題がある。そのために、工数の増加とコストアップの問題が発生する。また、コイルスプリングの強弱によってカバー体を確実に閉じることができないために印刷品質が維持できないという問題もある。
【０００４】
そこで、本発明は、上述した問題点を解決するためになされたものであり、カバー体の開閉を行うヒンジの構成部材を最小限にし、少なくとも専用コイルスプリングの使用を中止しても、印字品質の向上とカバー体のオープンを半自動で行うことを可能とする印刷装置を提供することを目的とする。
【課題を解決するための手段】
【０００５】
前記目的を達成するため請求項１に係る印刷装置は、装置の筐体を構成する第１カバー体と、前記第1カバー体に対してヒンジによって開閉可能に配設される第２カバー体と、前記第２カバー体が前記第１カバー体に対して閉じられたとき、第２カバー体を第１カバー体に対して固定する固定手段と、前記第２カバー体に回転可能に取り付けられるプラテンローラと、前記プラテンローラと対向する位置に配設されるサーマルヘッドと、前記サーマルヘッドを保持するヘッド支持部材と、前記固定手段によって前記第２カバー体が第１カバー体に固定されたとき、前記ヘッド支持部材の長手方向に配設されて前記サーマルヘッドを前記プラテンローラの周面に所定荷重で押圧させる複数の弾性部材と、を備え、前記固定手段による前記第２カバー体の前記第１カバー体への固定が解除されたとき、前記プラテンローラが前記サーマルヘッドを介して前記所定荷重を有する複数の弾性部材によって押圧されることにより、第２カバー体が第１カバー体から浮くようにしたことを特徴とする。
【０００６】
また、請求項２に係る印刷装置は、請求項１に記載の印刷装置において、前記プラテンローラは、前記第２カバー体の前記ヒンジが構成される端部と反対側の端部に配設されることを特徴とする。
【０００７】
また、請求項３に係る印刷装置は、請求項１又は請求項２に記載の印刷装置において、前記固定手段は、回動中心を有しその回動中心から２つの延出部を備え、一端は弾性部材に係止され、他端に前記プラテンローラに備えられた回転軸を着脱自在に係止する鉤形状を有していることを特徴とする。
【発明の効果】
【０００８】
請求項１に係る印刷装置では、印刷品質を向上させるためにプラテンローラとサーマルヘッドを密着させる必要がある。そのために、プラテンローラ側に弾性部材を備えてプラテンローラをサーマルヘッドに密着させるかサーマルヘッド側に弾性部材を備えてサーマルヘッドをプラテンローラに密着させるかのどちらかである。そこで、印刷装置の筐体を構成する第１カバー体と、第1カバー体に対してヒンジによって開閉可能に配設される第２カバー体と、第２カバー体が第１カバー体に対して閉じられたとき、第２カバー体を第１カバー体に対して固定する固定手段と、第２カバー体に回転可能に取り付けられるプラテンローラと、プラテンローラと対向する位置に配設されるサーマルヘッドと、サーマルヘッドを保持するヘッド支持部材と、固定手段によって第２カバー体が第１カバー体に固定されたとき、ヘッド支持部材の長手方向に配設されてサーマルヘッドをプラテンローラの周面に所定荷重で押圧させる複数の弾性部材と、を備えた構成にすることによって、確実にサーマルヘッドとプラテンローラを密着させることができるので、印字品質を向上させることができる。また、印字品質を向上させるためにサーマルヘッドをプラテンローラの周面に所定荷重で押圧させる複数の弾性部材を備えるという条件を考慮すると、プラテンローラを第２カバー体に回転可能に取り付け、第２カバー体を第１カバー体に対して固定する固定手段を備える構成にすることによって、固定手段を開放したとき弾性部材の押圧力によって第２カバー体を第１カバー体から浮かすことができる。そのまま第２カバー体を容易に開けることができる。このように他の機能に使用される部材を第２カバー体のヒンジに使用される専用コイルスプリングの代用として使用することによって、第２カバー体のヒンジを開閉のみの基本構成にすることができるので、部品点数の削減ができると共に工数の削減ができることによってコストダウンが実現できる。
【０００９】
また、請求項２に係る印刷装置では、プラテンローラは、第２カバー体のヒンジが構成される端部と反対側の端部に配設されているので、サーマルヘッドを押圧する距離を大きく取ることができる。これによって、固定手段を開放したとき弾性部材の押圧力によって第２カバー体を第１カバー体から浮かす距離を大きく取ることができる。そのため、第２カバー体を開け易くすることができる。
【００１０】
そして、請求項３に係る印刷装置では、固定手段は、回動中心を有しその回動中心から２つの延出部を備え、一端は弾性部材に係止され、他端にプラテンローラに備えられた回転軸を着脱自在に係止する鉤形状を有しているので、第２カバー体を第１カバー体に対して閉じたとき、プラテンローラに備えられた回転軸を、他端に設けられた鉤形状が一端に設けられた弾性部材に抗して係止する。このとき、固定手段が第２カバー体自体を固定するのではなく、第２カバー体に設けられたプラテンローラの回転軸を鉤形状が係止することにより、サーマルヘッドに対するプラテンローラの位置を正確に決めることができ、印字品質を向上させることができる。
【発明を実施するための最良の形態】
【００１１】
以下、本発明に係る印刷装置について、本発明を具体化した一実施例に基づき図面を参照しつつ詳細に説明する。尚、本実施例は、本体装置内に長尺状のロールシートを装着してラインサーマルヘッドにて印刷が行われる印刷装置としてのテープ印刷装置について説明する。
【実施例】
【００１２】
先ず、本実施例に係るロールシートホルダが装着されるテープ印刷装置の概略構成について図１乃至図８に基づき説明する。
ここで、図１は、本実施例に係るテープ印刷装置の前側からの外観斜視図、図２は、テープ印刷装置の後側からの外観斜視図、図３は、テープ印刷装置にロールシートホルダが装着された状態における上カバーを開けて示す右側上方からの斜視図、図４は、テープ印刷装置にロールシートホルダが装着された状態における上カバーを開けて示す左側上方からの斜視図、図５は、ロールシートホルダをテープ印刷装置に装着した状態を示す側断面図、図６は、テープ印刷装置の上カバーを開けて、フロントカバーを取り外した状態を前側上方から見た概略斜視図、図７は、ロールシートが装着されたロールシートホルダの一例を示す図で、（Ａ）は上方からの斜視図、（Ｂ）は下方からの斜視図、図８は、図５のＸ１−Ｘ１矢視断面図である。
【００１３】
図１乃至図６に示すように、テープ印刷装置１は、本体筐体２にロールシートホルダ収納ケース４が装着され、所定幅の無定長ロールシート３Ａ（以下、「ロールシート３Ａ」という。）が巻回されたロールシートホルダ３がロールシートホルダ収納ケース４に形成されているロールシートホルダ収納部４Ａに収納され、ロールシートホルダ収納ケース４の後側上端縁部に設けられた後述するヒンジ２９、３０（図９参照）によって開閉自在に取り付けられた樹脂製の上カバー５によって上部が覆われる。また、この上カバー５の上面部には透明樹脂製の透視窓５Ａが形成されており、ロールシートホルダ収納部４Ａに装着されたロールシート３Ａを確認できるように構成されている。
また、上カバー５の前側の一方の側端部（図１中、右端縁部）には、電源ボタン７Ａ、押下している間ロールシート３Ａを搬送方向に排出するフィードボタン７Ｂ、押下することによってカッターユニット８を駆動させてロールシート３Ａを切断するカットボタン７Ｃ等が配置されている。そして、カッターユニット８は、上カバー５の前側下方部分に配置されおり、指等の巻き添えによる怪我を防止するためのフロントカバー６で覆われている。また、フロントカバー６には、印刷されたロールシート３Ａを外部に排出するシート排出口６Ａが形成されている。
【００１４】
また、本体筐体２の背面側壁部２Ａには一方の側端部に不図示の電源コードが接続されるインレット９が配設されると共に、その横側に送風ファン１７（図９参照）が配置されている。また、他方の側端部には不図示のパーソナルコンピュータ等と接続されるＵＳＢ（Universal Serial Bus）コネクタ１０や接続コネクタ１１が設けられている。
そして、本体筐体２の背面側壁部２Ａには、背面側壁部２Ａを覆う背面カバー１４が取り付けられている。
【００１５】
ここで、図５に示すように、このロールシート３Ａは、自己発色性を有する長尺状の感熱シート（いわゆる、サーマルペーパー）３Ｃと、この感熱シート３Ｃの裏面側に粘着剤層３Ｄを介して剥離紙３Ｅが張り合わされて構成され、感熱シート３Ｃの印刷面が内側になるように巻回されている。
【００１６】
また、図３、図４及び図６に示すように、テープ印刷装置１は、ロールシートホルダ収納部４Ａの搬送方向に対して略垂直方向の一方の側端縁部（図３中、右側側端縁部）に、ロールシートホルダ３を構成する位置決め保持部材１２の外側方向に突設される断面略矩形状の取付部材１３を嵌め込むことができるホルダ支持部材１５が設けられている。このホルダ支持部材１５には、幅方向上方に開口すると共に幅方向両側に開口する正面視略縦長コの字状の第１位置決め溝部１６が形成されている。
【００１７】
また、ロールシート３Ａを挿入する挿入口１８の後端縁部からロールシートホルダ収納部４Ａの前側上端縁部まで略水平に延出されて、後述のロールシートホルダ３を構成するガイド部材２０の先端部が載置される載置部２１が設けられている。また、この載置部２１の搬送方向後側の端縁角部には、ロールシート３Ａの複数の幅寸法に対応して断面略Ｌ字状の７個の第２位置決め溝部２２Ａ〜２２Ｇが形成されている。この各第２位置決め溝部２２Ａ〜２２Ｇは、図５に示すように、ロールシートホルダ３を構成するガイド部材２０の載置部２１に当接する先端下端部分を上方から嵌め込むことができるように形成されている。
【００１８】
また、ロールシートホルダ収納部４Ａの底面部には、ホルダ支持部材１５の内側基端部から対向する側面部基端部まで搬送方向に対して略垂直に平面視横長四角形の位置決め凹部４Ｂが所定深さ（本実施例では、約１．５〜３ｍｍの深さである。）で形成されている。この位置決め凹部４Ｂの搬送方向幅寸法は、ロールシートホルダ３を構成する位置決め保持部材１２及びガイド部材２０の各下端縁部の幅寸法にほぼ等しくなるように形成されている。また、位置決め凹部４Ｂのホルダ支持部材１５の内側基端部には、位置決め保持部材１２の下端縁部から略直角内側方向に延出される後述のシート判別部６０（図７参照）に対向する部分が、位置決め凹部４Ｂよりもさらに所定深さ（本実施例では、約１．５〜３ｍｍの深さである。）だけ深くなるように形成された搬送方向に縦長の平面視長四角形の判別凹部４Ｃが形成されている。
【００１９】
また、この判別凹部４Ｃには、プッシュ式のマイクロスイッチ等から構成されて、ロールシート３Ａの種別、感熱シート３Ｃの材質、ロールシート幅等を判別するための６個のシート判別センサＰ１、Ｐ２、Ｐ３、Ｐ４、Ｐ５、Ｐ６がＬ字状に設けられている。尚、図６には、５個の各シート判別センサＰ１〜Ｐ５が示されている。
この各シート判別センサＰ１〜Ｐ６は、プランジャーとマイクロスイッチ等から構成される公知の機械式スイッチからなり、該各プランジャーの上端部は、該判別凹部４Ｃの底面部から位置決め凹部４Ｂの底面部近傍まで突き出るように設けられている。そして、この各シート判別センサＰ１〜Ｐ６に対して位置決め保持部材１２の下端縁部から略直角内側方向に延出されるシート判別部６０に形成される後述の各センサ孔６０Ａ〜６０Ｆ（図７参照）が有るか否かを検出して、そのオン・オフ信号によりロールシートホルダ３に装着されたロールシート３Ａの種別、感熱シート３Ｃの材質、ロールシート幅等を検出するものである。
【００２０】
尚、本実施例の場合は、各シート判別センサＰ１〜Ｐ６は、そのプランジャーが常には、判別凹部４Ｃの底面から位置決め凹部４Ｂの底面部近傍まで突き出しており、マイクロスイッチがオフ状態になっている。そして、シート判別部６０の各センサ孔６０Ａ〜６０Ｆが、各シート判別センサＰ１〜Ｐ６に対向する位置に有る場合には、プランジャーが押下されずマイクロスイッチがオフ状態にあるので、オフ信号が出力され、一方、シート判別部６０の各センサ孔６０Ａ〜６０Ｆが、各シート判別センサＰ１〜Ｐ６に対向する位置に無い場合には、プランジャーが押下されてマイクロスイッチがオン状態になるので、オン信号が出力される。従って、各シート判別センサＰ１〜Ｐ６によって６ビットの「０」、「１」信号が出力され、各シート判別センサＰ１〜Ｐ６が全てオフ状態の場合、即ち、ロールシートホルダ３が装着されていない場合には、６ビットの「００００００」の信号が出力される。
【００２１】
また、挿入口１８のホルダ支持部材１５側の側端縁部（図３中、右端縁部）は、該ホルダ支持部材１５に嵌め込まれる位置決め保持部材１２の内側端面と同一平面上の位置に形成されている。また、この挿入口１８のホルダ支持部材１５側の側端縁部には、載置部２１のほぼ搬送方向後端部まで立設された案内壁面を形成すると共に、ロールシート３Ａの上面部を覆うように幅方向に所定幅延出された案内部２３が形成され、ロールシート３Ａが挿通されている。
【００２２】
また、上カバー５の前端部下側には、プラテンローラ２６が回転自在に軸支されている。そして、テープ印刷装置１は、上カバー５を閉じることによって、プラテンローラ２６が押圧バネ２４によって上方に付勢されているサーマルヘッド３１にロールシート３Ａを押圧付勢して印字可能な状態になる。このとき、上カバー５が閉じられたことによって、プラテンローラ２６のローラ軸２６Ａの両端部の外周に回転可能に嵌挿された各カラー部材２５、２５が、搬送方向後側に付勢された側面視略逆Ｌ字状の鉤形状を有する各係止爪２８、２８に係止されている。また、ローラ軸２６Ａのホルダ支持部材１５側の端縁部には、ギヤ２６Ｂが固設され、上カバー５を閉じた際に、ギヤ列５１（図１３参照）に歯合し、プラテンローラ２６をステッピングモータ等で構成されるシート送りモータ５２（図１３参照）により回転駆動可能な状態になっている。そして、本体筐体２の左右側壁部に設けられた各解除摘み２７、２７を上方に押し上げることによって、各係止爪２８、２８が付勢力に抗して搬送方向前側に回動され、各カラー部材２５との係止が解除され、上カバー５が開放可能な状態になる。
【００２３】
また、ロールシートホルダ収納ケース４の下側には、外部のパーソナルコンピュータ等からの指令により各機構部を駆動制御する制御回路部が形成されると共に各シート判別センサＰ１〜Ｐ６が配設された制御基板３６が設けられている（図８参照）。また、フレーム３３の下方には、電源回路部が形成された電源基板３７が設けられている。そして、制御基板３６及び電源基板３７は、底面部にネジ止めされた薄い鋼板製（本実施例では、厚さ約０．５ｍｍのＳＰＣＣ等の鋼板製である。）の底面カバー３８によって覆われている。
【００２４】
次に、ロールシートホルダ３の概略構成について図７及び図８に基づいて説明する。
図７及び図８に示すように、巻芯３Ｂに巻回されたロールシート３Ａが装着されるロールシートホルダ３は、下記のように構成されている。即ち、ロールシート３Ａの巻芯３Ｂの筒孔の一端側端縁部にガイド部材２０の内側面に立設される第１筒部２０Ａが嵌挿されて、該ガイド部材２０の内側面にロールシート３Ａの一方の端面が当接されている。また、ロールシート３Ａの巻芯３Ｂの筒孔の他端側端縁部に位置決め保持部材１２の内側面に立設される第２筒部１２Ａが嵌挿されて、該位置決め保持部材１２の内側面にロールシート３Ａの他方の端面が当接されている。そして、このガイド部材２０の第１筒部２０Ａに嵌挿されて一端側端面の外周部に形成されるフランジ部４０Ａが該第１筒部２０Ａの外側端面、即ちガイド部材２０の外側端面に遊嵌されると共に、他端側端部が位置決め保持部材１２の第２筒部１２Ａ内に嵌挿されて該第２筒部１２Ａに固着される略筒状のホルダ軸部材４０を備えている。従って、ホルダ軸部材４０の長さ寸法を変更することにより、異なる幅寸法のロールシート３Ａが装着された複数種類のロールシートホルダ３を容易に製作することができる。
【００２５】
また、このガイド部材２０は、第１筒部２０Ａの外側端面の下側外周部から下側方向に延出されて、ロールシートホルダ収納部４Ａの底面部に形成される位置決め凹部４Ｂに嵌入されて該位置決め凹部４Ｂの底面に当接される第１延出部４２が形成されている。また、ガイド部材２０は、ロールシート３Ａの前側方向略１／４円周上の外側端面部を覆うように外側方向に延出される第２延出部４３が形成されている。また、この第２延出部４３の外周部から載置部２１まで上側端縁部が前下がり状に延出される第３延出部４４が形成されている。この第３延出部４４の下端面は略水平に形成され、先端側下端部４５は、装着されたロールシート３Ａのシート幅に対向する各第２位置決め溝部２２Ａ〜２２Ｇのいずれかに嵌入されるように構成されている（図３、図４参照）。また、この第３延出部４４の内側面によって装着されたロールシート３Ａの一側端縁部が挿入口１８まで案内されるように構成されている（図４参照）。
【００２６】
また、ガイド部材２０の内側面に立設された第１筒部２０Ａと位置決め保持部材１２の内側面に立設された第２筒部１２Ａとによって、ロールシート３Ａが巻回された巻芯３Ｂが回転可能に保持される。尚、ホルダ軸部材４０は、ロールシート３Ａの巻芯３Ｂの各長さ寸法に対応して複数種類（本実施例では、７種類である。）の長さ寸法のものが設けられている。
また、位置決め保持部材１２の外側端面部の搬送方向（図７（Ｂ）参照）略中央部に、即ち、ホルダ軸部材４０の軸心の端縁部から該軸心に対してほぼ直交するように、上下方向に縦長の断面略矩形状の取付部材１３が突設されている。この取付部材１３は、正面視下方向（図７（Ｂ）中、上方向）に幅狭になるように形成され、テープ印刷装置１のホルダ支持部材１５の下方向に幅狭な第１位置決め溝部１６内に密着可能に形成されている。また、この取付部材１３の突出高さ寸法は、この第１位置決め溝部１６の幅寸法にほぼ等しく形成されている。
【００２７】
また、位置決め保持部材１２の取付部材１３の下端部には、該取付部材１３の下端部よりも左右方向に各々外側方向に所定長さ（本実施例では、約１．５ｍｍ〜３ｍｍである。）突出する正面視略四角形の平板状（本実施例では、約１．５ｍｍ〜３ｍｍの厚さ寸法である。）の案内部５７が形成されている。これにより、ロールシートホルダ３を装着する場合は、取付部材１３の下端部に形成される案内部５７をホルダ支持部材１５の外側端面に当接させつつ、取付部材１３を第１位置決め溝部１６に挿入することによって、該ロールシートホルダ３を容易に位置決めしつつ装着することができる。
また、位置決め保持部材１２の延出部５６の下端縁部は、ガイド部材２０の下端縁部よりも所定長さ（本実施例では、約１ｍｍ〜２．５ｍｍである。）下側方向に突出するように延出されると共に、該下端縁部には、略直角内側方向に所定長さ延出される略長四角形のシート判別部６０が形成されている。
【００２８】
また、図７（Ｂ）に示すように、このシート判別部６０には、上述したように、各シート判別センサＰ１〜Ｐ６に対向する所定位置に各センサ孔６０Ａ〜６０Ｆが略Ｌ字状に配置されて穿設される。尚、図７（Ｂ）中、各センサ孔６０Ａ〜６０Ｆのうちの各センサ孔６０Ａ〜６０Ｄ、６０Ｆが、シート判別部６０に穿設された状態を示している。
これにより、各センサ孔６０Ａ〜６０Ｆは、６個のうちの最大５個穿設されるため、１つひとつの有無を「１」と「０」に対応させることにより、該ロールシートホルダ３に装着されたロールシート３Ａの種別、感熱シートの材質、ロールシート幅等を「０００００１」〜「１１１１１１」の６ビットの符号によって表示することができる。尚、「００００００」の６ビットの符号は、ロールシートホルダ３が装着されていないことを表している。
【００２９】
次に、上カバー５に設けられてロールシートホルダ３を押さえるホルダ押さえ部について図３、図４、図６及び図８に基づいて説明する。
図３、図４及び図８に示すように、上カバー５は、上カバー本体５Ｂと、この上カバー本体５Ｂの左右にネジ止め等によって固着される略円形状の左側カバー部材５Ｃと、右側カバー部材５Ｄとから構成されている。
【００３０】
また、左側カバー部材５Ｃと右側カバー部材５Ｄの内側面には、上カバー５を閉じた際に、ロールシートホルダ収納部４Ａ内に装着されたロールシートホルダ３の取付部材１３の上端面に対向する位置に各補強リブ６２、６３が、水平にほぼ全幅に渡って立設されている。
また、右側カバー部材５Ｄの内側面に立設される補強リブ６３の取付部材１３の上端面に対向する位置には、所定幅（本実施例では、取付部材１３の幅寸法の約１．５倍で、約１２ｍｍの幅である。）の薄い平板状（本実施例では、厚さ約１ｍｍの平板状である。）のホルダ押さえ部６５が内側方向に水平に延出されている。このホルダ押さえ部６５は、上カバー５を閉じた際に、先端下面部が取付部材１３の上端面に当接し、且つ位置決め保持部材１２には当接しないように内側方向に延出されている。
【００３１】
これにより、巻芯に巻回されたロールシート３Ａが装着されたロールシートホルダ３は、位置決め保持部材１２の取付部材１３をホルダ支持部材１５の第１位置決め溝部１６に嵌め込むと共に、ガイド部材２０の先端下端部を各第２位置決め溝部２２Ａ〜２２Ｇのいずれかに嵌め込んで該ガイド部材２０の下端部を位置決め凹部４Ｂ内に嵌入して当接させることによって、ロールシートホルダ収納部４Ａに着脱自在に取り付けられる。また、位置決め保持部材１２の内側下端縁部に設けられたシート判別部６０が判別凹部４Ｃ内に挿入され、判別凹部４Ｃに配設される各シート判別センサＰ１〜Ｐ６に対向する該シート判別部６０の各センサ孔６０Ａ〜６０Ｆが有るか否か検出可能となる。即ち、ロールシートホルダ３に装着されたロールシート３Ａの種別などを検出可能となる。
【００３２】
そして、ロールシート３Ａの一方の側端縁部をガイド部材２０の内側面に当接させつつ、このロールシート３Ａの他方の側端縁部を挿入口１８の側縁部に設けられた案内部２３に当接させながら挿入口１８内に挿入して、上カバー５を閉じることによって、図５に示すように、押圧バネ２４によって上方に付勢されているライン型のサーマルヘッド３１にロールシート３Ａを押圧付勢して印字可能な状態になる。また、図８に示すように、上カバー５を閉じることによって、右側カバー部材５Ｄの内側に延出されるホルダ押さえ部６５の下面が、取付部材１３の上端面に当接され、ロールシートホルダ３の位置決め保持部材１２が下方に押下される。
【００３３】
その後、該プラテンローラ２６をステッピングモータ等で構成されるシート送りモータ５２により回転駆動しつつ、該サーマルヘッド３１を駆動制御することによって、ロールシート３Ａを搬送しながら感熱シート３Ｃの印刷面に順次画像データを印刷できる。そして、印字済みロールシート３Ａの搬送方向後ろ側の切断位置が、カッターユニット８の固定刃４６に対向する位置まで搬送された場合には、カッターユニット８の正面視Ｖ字形の可動刃４７がＤＣモータ等で構成される切断用モータ４８（図６参照）により上下方向に往復移動して固定刃４６と可動刃４７とによって切断され、シート排出口６Ａから排出される。
【００３４】
次に、このように構成されたテープ印刷装置１において、樹脂製のロールシートホルダ収納ケース４の後側上端縁部と樹脂製の上カバー５の後側下端縁部とを開閉自在に取り付けるヒンジ２９、３０の構成及びヒンジ軸２９Ａ、３０Ａの係止の方法について図９に基づいて説明する。
ここで、図９は、ロールシートホルダ収納ケースに上カバーを組み付ける工程を説明する説明図である。
【００３５】
図９に示すように、本体筐体２の背面側壁部２Ａには一方の側端部にインレット９が取り付けられており、その横側に送風ファン１７が取り付けられている。そして、他方の側端部には不図示のパーソナルコンピュータ等と接続されるＵＳＢ（Universal Serial Bus）コネクタ１０や接続コネクタ１１が取り付けられている。また、本体筐体２には、ロールシートホルダ収納ケース４が装着されている。そして、インレット９の上方にあるロールシートホルダ収納ケース４の端部には、内側からヒンジ軸２９Ａを貫通させる貫通穴２９Ｅを有すると共にヒンジ２９を構成する固定ヒンジリブ２９Ｄが一体に形成されている。更に、ヒンジ軸２９Ａに形成された段差部２９Ｂを貫通させる貫通穴２９Ｇを有すると共にヒンジ２９を構成する固定ヒンジリブ２９Ｆが固定ヒンジリブ２９Ｄと並列に形成されている。また、ＵＳＢコネクタ１０の上方にあるロールシートホルダ収納ケース４の端部には、内側からヒンジ軸３０Ａを貫通させる貫通穴３０Ｅを有すると共にヒンジ３０を構成する固定ヒンジリブ３０Ｄが一体に形成されている。更に、ヒンジ軸３０Ａに形成された段差部３０Ｂを貫通させる貫通穴３０Ｇを有すると共にヒンジ３０を構成する固定ヒンジリブ３０Ｆが固定ヒンジリブ３０Ｄと並列に形成されている。
【００３６】
また、樹脂製の上カバー５の後側下端縁部には、ヒンジ２９を構成すると共に、ヒンジ軸２９Ａを貫通させる貫通穴２９Ｊを備え、固定ヒンジリブ２９Ｄと固定ヒンジリブ２９Ｆに挟持される回動ヒンジリブ２９Ｈと、ヒンジ３０を構成すると共に、ヒンジ軸３０Ａを貫通させる貫通穴３０Ｊを備え、固定ヒンジリブ３０Ｄと固定ヒンジリブ３０Ｆに挟持される回動ヒンジリブ３０Ｈが一体に形成されている。
【００３７】
そして、ロールシートホルダ収納ケース４の後側上端縁部と樹脂製の上カバー５の後側下端縁部とを開閉自在に取り付けるためには、先ず、上カバー５の回動ヒンジリブ２９Ｈを、ロールシートホルダ収納ケース４の固定ヒンジリブ２９Ｄと固定ヒンジリブ２９Ｆに挟持し、同時に上カバー５の回動ヒンジリブ３０Ｈを、ロールシートホルダ収納ケース４の固定ヒンジリブ３０Ｄと固定ヒンジリブ３０Ｆに挟持するように上カバー５を矢印Ａの方向に装着する。
次に、ヒンジ軸２９Ａを、ヒンジ軸２９Ａの段差部２９Ｂを先頭にして、固定ヒンジリブ２９Ｄの貫通穴２９Ｅ、回動ヒンジリブ２９Ｈの貫通穴２９Ｊ、固定ヒンジリブ２９Ｆの貫通穴２９Ｇの順に、ヒンジ軸２９Ａに設けた段差部２９Ｂの段差によってヒンジ軸２９Ａが固定ヒンジリブ２９Ｆに止まるまで挿入する。更に、ヒンジ軸３０Ａを、ヒンジ軸３０Ａの段差部３０Ｂを先頭にして、固定ヒンジリブ３０Ｄの貫通穴３０Ｅ、回動ヒンジリブ３０Ｈの貫通穴３０Ｊ、固定ヒンジリブ３０Ｆの貫通穴３０Ｇの順に、ヒンジ軸３０Ａに設けた段差部３０Ｂの段差によってヒンジ軸３０Ａが固定ヒンジリブ３０Ｆに止まるまで挿入する。この工程によって、ロールシートホルダ収納ケース４と上カバー５は、ヒンジ２９とヒンジ３０によって回動可能に取り付けられる。
【００３８】
次に、ヒンジ軸２９Ａとヒンジ軸３０Ａは、まだ固定されていないので固定の方法を説明する。
図９に示すように、本体筐体２の背面側壁部２Ａには、固定ヒンジリブ３０Ｆの左側に係止孔２Ｅ、ＵＳＢコネクタ１０の下側に係止孔２Ｆ、接続コネクタ１１の下側に係止孔２Ｇ、インレット９の下側に係止孔２Ｈ、固定ヒンジリブ２９Ｆの右側に係止孔２Ｊが設けられている。そして、これらの位置に対応して背面カバー１４には、係止孔２Ｅに対応して係止爪１４Ａが、係止孔２Ｆに対応して係止爪１４Ｂが、係止孔２Ｇに対応して係止爪１４Ｃが、係止孔２Ｈに対応して係止爪１４Ｄが、係止孔２Ｊに対応して係止爪１４Ｅがそれぞれ設けられ、また、挿入されたヒンジ軸２９Ａの軸端面２９Ｃと抜け止めリブ１４Ｆとが対向する位置に設けられ、さらに、挿入されたヒンジ軸３０Ａの軸端面３０Ｃと抜け止めリブ１４Ｇとが対向する位置に設けられている。そしてこれらの位置関係を維持して、背面カバー１４を矢印Ｂの方向に合わせて押圧することにより、本体筐体２の背面側壁部２Ａに背面カバー１４が取り付けられる。これによって、ヒンジ軸２９Ａの軸端面２９Ｃと抜け止めリブ１４Ｆとが対向し、さらにヒンジ軸３０Ａの軸端面３０Ｃと抜け止めリブ１４Ｇとが対向することによって、ヒンジ軸２９Ａとヒンジ軸３０Ａは固定される。
【００３９】
このように取り付けられた上カバー５を構成する部材には、上カバー５を自動的に開く原動力を蓄積する部材は含まれていない。しかしながら、上カバー５を閉じたときには、上カバー５に付設されているプラテンローラ２６はサーマルヘッド３１からサーマルヘッド３１を上方に付勢する押圧バネ２４の付勢力を常に受けている。それ故、この押圧バネ２４の付勢力を利用することにより、上カバー５を自動的に開く構成が実現できる。そこで、図１０乃至図１８に基づいて、上カバー５を自動的に開く構成と動作を説明する。
【００４０】
ここで、図１０は、サーマルヘッドのヘッド支持部材への組み付け斜視図、図１１は、サーマルヘッド及び放熱板等が取り付けられたヘッド支持部材のフレームへの取り付け斜視図、図１２は、フレームへの右側支持フレームと左側支持フレームの取り付け斜視図、図１３は、組立が完了した印刷ユニットの上面図、図１４は、図１３のＸ２−Ｘ２矢視断面図、図１５は、上カバーを閉じたときのプラテンローラと係止爪を備える解除摘みの関係を示す透視斜視図、図１６は、図１５の透視右側面図、図１７は、上カバーを閉じたときのプラテンローラとヘッド支持部材と押圧バネの関係を説明する透視右側面図、図１８は、解除摘みを操作して上カバーを開く状態を説明する透視右側面図である。
【００４１】
先ず、図１０乃至図１４に基づいて、サーマルヘッド３１が押圧バネ２４から付勢力を受ける構成について、印刷ユニット１９を組み立てる組立順序を参考にしながら説明する。
図１０に示すように、長尺のサーマルヘッド３１は下方にアルミニュウム製の放熱板３１Aが両面粘着剤で装着され、サーマルヘッド３１の上辺左右にフラットケーブル３１Ｂ、３１Ｃがコネクタ３１Ｄ、３１Ｅにて接続されている。
このようにセットされたサーマルヘッド３１は、放熱板３１Aを介して矢印Ｃの向きにヘッド支持部材３２の上面に装着し、ネジ３２Ａ、３２Ｂによって、ヘッド支持部材３２の裏面からネジ用孔３２Ｃ、３２Ｄを通してネジ止めされる。
【００４２】
また、ヘッド支持部材３２には、このヘッド支持部材３２の搬送方向に対して後側の端縁部には支持部３２Ｅが設けられ、後述するフレーム３３の後側側壁部３３Ａに穿設された支持孔３３Ｂによって上下方向に揺動可能に支持される。また、このヘッド支持部材３２の搬送方向前側の端縁部中央においても、外側方向に延出される所定幅（本実施例では、約１５ｍｍである。）のガイド部３２Ｆが設けられ、後述するフレーム３３の前側側壁部３３Ｃに穿設されるガイド孔３３Ｄへ上下方向に移動可能に嵌入される。
また、ヘッド支持部材３２の右側端縁部の後方には、後述する右側支持フレーム４９に穿設される右側ガイド孔４９Ａに嵌入される右側凸部３２Ｇが設けられ、ヘッド支持部材３２の左側端縁部の後方には、後述する左側支持フレーム５０に穿設される左側ガイド孔５０Ａに嵌入される左側凸部３２Ｈが設けられている。
また、ヘッド支持部材３２には、ガイド部３２Ｆの近傍に２つの押圧バネ２４、２４のバネ係止部３２Ｊ、３２Ｋが設けられている。更に、バネ係止部３２Ｊとネジ用孔３２Ｃの間にはスリット３２Ｌが設けられ、バネ係止部３２Ｋとネジ用孔３２Ｄの間にはスリット３２Ｍが設けられている。
【００４３】
次に、図１１に示すように、２つの押圧バネ２４、２４の一端をフレーム３３に設けられたバネ係止部３３Ｅ、３３Ｆ（図１４参照）に係止して、押圧バネ２４、２４の他端をサーマルヘッド３１及び放熱板３１A等が取り付けられたヘッド支持部材３２のバネ係止部３２Ｊ、３２Ｋに係止しながらヘッド支持部材３２の矢印Ｄの方向に押圧し、ヘッド支持部材３２の支持部３２Ｅをフレーム３３の後側側壁部３３Ａに穿設された支持孔３３Ｂに上下方向に揺動可能に取り付けた後に、ヘッド支持部材３２のガイド部３２Ｆをフレーム３３の前側側壁部３３Ｃに穿設されたガイド孔３３Ｄへ上下方向に移動可能に嵌入する。
【００４４】
次に、図１２では、サーマルヘッド３１及び放熱板３１A等が取り付けられたヘッド支持部材３２を装着したフレーム３３に、右側支持フレーム４９及び左側支持フレーム５０を取り付ける。
先ず、図１２に示すように、右側支持フレーム４９に穿設されている右側ガイド孔４９Ａにヘッド支持部材３２の右側凸部３２Ｇを挿通させながら矢印Ｅの方向に右側支持フレーム４９をフレーム３３に当接してネジ４９Ｂ、４９Ｃによってネジ止めする。次に、左側支持フレーム５０に穿設されている右側ガイド孔５０Ａにヘッド支持部材３２の左側凸部３２Ｈを挿通させながら矢印Ｆの方向に左側支持フレーム５０をフレーム３３に当接してネジ５０Ｂ、５０Ｃによってネジ止めする。
【００４５】
次に、図１３では、右側支持フレーム４９の内側から外側に向けてシート送りモータ５２が取り付けられている。そして、上カバー５を閉じたときに、シート送りモータ５２によって上カバー５の前端部下側に回転自在に軸支されているプラテンローラ２６を回転駆動するために、ローラ軸２６Ａに固設されたギヤ２６Ｂ（図３参照）とシート送りモータ５２を連結するギヤ列５１を右側支持フレーム４９の外側に取り付ける。
【００４６】
更に、上カバー５を閉じたときに、上カバー５の前端部下側に回転自在に軸支されているプラテンローラ２６のローラ軸２６Ａの右側端部の外周に、回転可能に嵌挿されたカラー部材２５を係止する側面視略逆Ｌ字状の鉤形状を有する係止爪２８を備えた解除摘み２７（図１５参照）が、右側支持フレーム４９の外側に取り付けられる。この係止爪２８は、搬送方向後側に付勢バネ２７Ａによって付勢され、解除摘み２７を上方に押し上げることによって、係止爪２８が付勢力に抗して搬送方向前側に回動され、カラー部材２５との係止が解除され、上カバー５が開放可能な状態になる。
【００４７】
同様に、図１３では、上カバー５を閉じたときに、上カバー５の前端部下側に回転自在に軸支されているプラテンローラ２６のローラ軸２６Ａの左側端部の外周に、回転可能に嵌挿されたカラー部材２５を係止する側面視略逆Ｌ字状の鉤形状を有する係止爪２８を備えた解除摘み２７（図１５参照）が、左側支持フレーム５０の外側に取り付けられる。この係止爪２８は、搬送方向後側に付勢バネ２７Ａによって付勢され、解除摘み２７を上方に押し上げることによって、係止爪２８が付勢力に抗して搬送方向前側に回動され、カラー部材２５との係止が解除され、上カバー５が開放可能な状態になり、右側支持フレーム４９の外側に取り付けられた解除摘み２７の上方への押し上げと合わせることによって、後述するようにプラテンローラ２６がサーマルヘッド３１によって上方に付勢されて、上カバー５が上方に少し持ち上げられる。
【００４８】
次に、図１４は、図１３のＸ２−Ｘ２矢視断面図であって、押圧バネ２４がフレーム３３とヘッド支持部材３２の間に収納されている状態を示しており、この状態はプラテンローラ２６が無いのでヘッド支持部材３２が押圧バネ２４によって上方に押圧された状態になっている。そのため、ヘッド支持部材３２の支持部３２Ｅは、元々支持孔３３Ｂの上端部で支持されるようになっているが、ヘッド支持部材３２のガイド部３２Ｆも、ガイド孔３３Ｄの上端部に当接して係止されている。また、ヘッド支持部材３２の右側凸部３２Ｇと左側凸部３２Ｈは、それぞれ右側ガイド孔４９Ａと左側ガイド孔５０Ａの中を上下方向には自由に移動できるので、サーマルヘッド３１を含むヘッド支持部材３２は、プラテンローラ２６に対して支持部３２Ｅを中心とする自動調芯機構となっている。これによってロールシート３Ａに対して安定した印刷が可能となる。
【００４９】
次に、図１５乃至図１８に基づいて、サーマルヘッド３１が押圧バネ２４から付勢力を受けて上カバー５を開く動作について説明する。
先ず、図１５、図１６に示すテープ印刷装置１は、上カバー５を閉じることによって、上カバー５の前端部下側に回転自在に軸支されているプラテンローラ２６のローラ軸２６Ａの両端部の外周に、回転可能に嵌挿された各カラー部材２５、２５が、搬送方向後側に付勢バネ２７Ａ、２７Ａによって回動係止孔２７Ｃ、２７Ｃを中心に回動するように付勢され、解除摘み２７、２７を備える側面視略逆Ｌ字状の鉤形状を有する各係止爪２８、２８に係止されて、上カバー５を閉じた状態が維持されている。
尚、係止爪２８の鉤形状は、係止爪２８が回動係止孔２７Ｃを中心に回動したとき、プラテンローラ２６のローラ軸２６Ａの両端部の外周に、回転可能に嵌挿された各カラー部材２５、２５を係止し易くするための形状である。
【００５０】
上カバー５を閉じた状態では、図１７に示すように、押圧バネ２４は、プラテンローラ２６からの押圧をサーマルヘッド３１、放熱板３１Ａ、ヘッド支持部材３２を介して受ける。これにより、ヘッド支持部材３２が支持孔３２Ｅの上端部を支点にしてガイド孔３３Ｄの上端部からＬの距離分だけ回動する、その結果、押圧バネ２４は、Ｌの距離分だけ圧縮される。そして、ガイド孔３３Ｄの上端部にガイド部３２Ｆを当接して押圧するためのプリロードを含むこのＬの距離分だけ圧縮された押圧バネ２４の反発力がプラテンローラ２６を押圧する押圧力として矢印Ｇの方向に加えられている。この押圧力は、ロールシート３Ａに対して安定した印刷を可能とする押圧力でもある。
【００５１】
そして、図１８に示すように、本体筐体２の左右側壁部に設けられた各解除摘み２７、２７を、回動係止孔２７Ｃを中心に回動させて矢印Ｈの方向に押し上げることによって、各係止爪２８、２８が付勢力に抗して回動係止孔２７Ｃを中心にして矢印Ｊの方向に回動され、各カラー部材２５との係止が解除される（図６、図１５参照）。係止が解除されると、図１７で説明したＬの距離分だけ圧縮された押圧バネ２４の反発力がプラテンローラ２６を押圧する押圧力としてプラテンローラ２６に加えられる。これにより、プラテンローラ２６が上方に付勢されて、上カバー５が矢印Ｋの方向にＬの距離分だけ持ち上げられ、開放可能な状態になる。
尚、プラテンローラ２６を上カバー５の前端部下側に設けることによって、ヒンジ２９、３０を中心として回動するプラテンローラ２６の回転半径が大きくなるので、上述のＬの距離を大きく取ることができる。このＬの距離を大きく取ることによって、上カバー５を開け易くすることができる。
【００５２】
ここで、ロールシートホルダ収納ケース４は、第１カバー体として機能する。また、上カバー５は、第２カバー体として機能する。また、解除摘み２７を備える係止爪２８は、固定手段として機能する。また、押圧バネ２４は、弾性部材として機能する。また、付勢バネ２７Ａは、弾性部材として機能する。そして、テープ印刷装置１は、印刷装置として機能する。
【００５３】
以上、詳細に説明した通りテープ印刷装置１では、印刷品質を向上させるためにプラテンローラ２６とサーマルヘッド３１を密着させる必要がある。そのために、プラテンローラ２６側に押圧バネ２４を備えてプラテンローラ２６をサーマルヘッド３１に密着させるかサーマルヘッド３１側に押圧バネ２４を備えてサーマルヘッド３１をプラテンローラ２６に密着させるかのどちらかである。そこで、テープ印刷装置１の筐体を構成するロールシートホルダ収納ケース４と、ロールシートホルダ収納ケース４に対してヒンジ２９、３０によって開閉可能に配設される上カバー５と、上カバー５がロールシートホルダ収納ケース４に対して閉じられたとき、上カバー５をロールシートホルダ収納ケース４に対して固定する解除摘み２７を備える係止爪２８と、上カバー５に回転可能に取り付けられるプラテンローラ２６と、プラテンローラ２６と対向する位置に配設されるサーマルヘッド３１と、サーマルヘッド３１を保持するヘッド支持部材３２と、解除摘み２７を備える係止爪２８がプラテンローラ２６のローラ軸２６Ａを係止することによって上カバー５がロールシートホルダ収納ケース４に固定されたとき、ヘッド支持部材３２の長手方向に配設されてサーマルヘッド３１をプラテンローラ２６の周面に所定荷重で押圧させる複数の押圧バネ２４と、を備えた構成にすることによって、確実にサーマルヘッド３１とプラテンローラ２６を密着させることができると共に、印字品質を向上させることができる。
また、印字品質を向上させるために、サーマルヘッド３１をプラテンローラ２６の周面に所定荷重で押圧させる複数の押圧バネ２４を備えている。そこで、プラテンローラ２６を上カバー５に回転可能に取り付け、係止爪２８が上カバー５に取り付けられたプラテンローラ２６のローラ軸２６Ａを係止して、上カバー５をロールシートホルダ収納ケース４に対して固定する構成にすることによって、係止爪２８に備えられた解除摘み２７によって係止爪２８がローラ軸２６Ａを開放したとき、押圧バネ２４の押圧力が、サーマルヘッド３１及びプラテンローラ２６を介して上カバー５をロールシートホルダ収納ケース４から浮かすようにすることができる。上カバー５が浮くので、そのまま上カバー５を容易に開けることができる。このように他の機能に使用される部材を上カバー５のヒンジ２９、３０に使用される専用コイルスプリングの代用として使用することができるので、上カバー５のヒンジ２９、３０を開閉のみの基本構成にすることができ、部品点数の削減ができると共に工数の削減ができることによってコストダウンが実現できる。
【００５４】
また、プラテンローラ２６は、上カバー５のヒンジ２９、３０が構成される端部と反対側の端部に配設されているので、サーマルヘッド３１を押圧する距離を大きく取ることができる。これによって、解除摘み２７を備える係止爪２８を開放したとき押圧バネ２４の押圧力によって上カバー５をロールシートホルダ収納ケース４から浮かす距離を大きく取ることができる。そのため、上カバー５を開け易くすることができる。
【００５５】
そして、係止爪２８を備える解除摘み２７は、回動係止孔２７Ｃを有し、その回動係止孔２７Ｃから伸びる腕の先端に係止爪２８が備えられている。また、回動係止孔２７Ｃから伸びる腕にバネ係止部２７Ｂが備えられている。係止爪２８は、プラテンローラ２６に備えられたローラ軸２６Ａを着脱自在に係止する鉤形状を有しているので、上カバー５をロールシートホルダ収納ケース４に対して閉じたとき、プラテンローラ２６に備えられたローラ軸２６Ａを、係止爪２８の鉤形状がバネ係止部２７Ｂに設けられた付勢バネ２７Ａに抗して係止する。このとき、解除摘み２７を備える係止爪２８が上カバー５自体を固定するのではなく、上カバー５に設けられたプラテンローラ２６のローラ軸２６Ａを鉤形状が係止することにより、サーマルヘッド３１に対するプラテンローラ２６の位置を正確に決めることができ、印字品質を向上させることができる。
【００５６】
尚、本発明は前記実施例に限定されることはなく、本発明の要旨を逸脱しない範囲内で種々の改良、変形が可能であることは勿論である。
【図面の簡単な説明】
【００５７】
【図１】本実施例に係るテープ印刷装置の前側からの外観斜視図である。
【図２】テープ印刷装置の後側からの外観斜視図である。
【図３】テープ印刷装置にロールシートホルダが装着された状態における上カバーを開けて示す右側上方からの斜視図である。
【図４】テープ印刷装置にロールシートホルダが装着された状態における上カバーを開けて示す左側上方からの斜視図である。
【図５】ロールシートホルダをテープ印刷装置に装着した状態を示す側断面図である。
【図６】テープ印刷装置の上カバーを開けて、フロントカバーを取り外した状態を前側上方から見た概略斜視図である。
【図７】ロールシートが装着されたロールシートホルダの一例を示す図で、（Ａ）は上方からの斜視図、（Ｂ）は下方からの斜視図である。
【図８】図５のＸ１−Ｘ１矢視断面図である。
【図９】ロールシートホルダ収納ケースに上カバーを組み付ける工程を説明する説明図である。
【図１０】サーマルヘッドのヘッド支持部材への組み付け斜視図である。
【図１１】サーマルヘッド及び放熱板等が取り付けられたヘッド支持部材のフレームへの取り付け斜視図である。
【図１２】フレームへの右側支持フレームと左側支持フレームの取り付け斜視図である。
【図１３】組立が完了した印刷ユニットの上面図である。
【図１４】図１３のＸ２−Ｘ２矢視断面図である。
【図１５】上カバーを閉じたときのプラテンローラと係止爪を備える解除摘みの関係を示す透視斜視図である。
【図１６】図１５の透視右側面図である。
【図１７】上カバーを閉じたときのプラテンローラとヘッド支持部材と押圧バネの関係を説明する透視右側面図である。
【図１８】解除摘みを操作して上カバーを開く状態を説明する透視右側面図である。
【符号の説明】
【００５８】
１              テープ印刷装置
２              本体筐体
４              ロールシートホルダ収納ケース
５              上カバー
２４            押圧バネ
２６            プラテンローラ
２６Ａ          ローラ軸
２７            解除摘み
２７Ａ          付勢バネ
２７Ｂ          バネ係止部
２７Ｃ          回動係止孔
２８            係止爪
２９            ヒンジ
３０            ヒンジ
３１            サーマルヘッド
３２            ヘッド支持部材
【図１】
2008094009.tif 000003
【図２】
2008094009.tif 000004
【図３】
2008094009.tif 000005
【図４】
2008094009.tif 000006
【図５】
2008094009.tif 000007
【図６】
2008094009.tif 000008
【図７】
2008094009.tif 000009
【図８】
2008094009.tif 000010
【図９】
2008094009.tif 000011
【図１０】
2008094009.tif 000012
【図１１】
2008094009.tif 000013
【図１２】
2008094009.tif 000014
【図１３】
2008094009.tif 000015
【図１４】
2008094009.tif 000016
【図１５】
2008094009.tif 000017
【図１６】
2008094009.tif 000018
【図１７】
2008094009.tif 000019
【図１８】
2008094009.tif 000020